(57)【要約】【課題】排泄物の臭気を消臭殺菌した後、ポータブルトイレ内の空気を外部へ放出することで排泄物貯留ポット内の消臭殺菌能力を促進しながら室内全体を消臭殺菌する消臭殺菌ポータブルトイレを提供する。【解決手段】排泄物貯留ポットに通気孔を設け、ポータブルトイレ本体の内壁面に消臭殺菌装置を着脱自在として装備し、消臭殺菌された空気をポータブルトイレ本体より外部へ自然放出又はファンによる強制循環させる構造とする。【選択図】図１
2009072554.tif 000002
【特許請求の範囲】
【請求項１】
ポータブルトイレ本体の内壁面に消臭殺菌装置を装着し、排泄物貯留ポット内の臭気を消臭殺菌するとともに脱臭作用効果を促進し外気へ放出させることで室内全体の空気を清浄化するのを特徴とした消臭殺菌ポータブルトイレ。
【請求項２】
消臭殺菌装置の消臭殺菌方法は、オゾン発生による分解消臭と紫外線照射による消臭殺菌を可能とし、自然排気又はファンによる強制循環排気機能を備えるのを特徴とした請求項１に記載の消臭殺菌ポータブルトイレ。
【請求項３】
ポータブルトイレ本体の内壁面に装着する消臭殺菌装置は着脱自在とするのを特徴とした請求項１及び請求項２に記載の消臭殺菌ポータブルトイレ。
【請求項４】
排泄物貯留ポット内で消臭殺菌された空気を外気へ放出する為に排泄物貯留ポットに通気孔を設けるのを特徴とした請求項１請求項２及び請求項３に記載の消臭殺菌ポータブルトイレ。
【請求項５】
排泄物貯留ポットに設ける通気孔は左右側面の二箇所と内壁面に位置する消臭殺菌装置の装着位置に隣接して一箇所の計三箇所を適当として設け、通気孔を持ち手としても使えるのを特徴とした請求項１、〜４に記載の消臭殺菌ポータブルトイレ。
【発明の詳細な説明】
【技術分野】
【０００１】  本発明は、可搬性の消臭殺菌ポータブルトイレに関するものである。
【背景技術】
【０００２】  高齢化時代を迎え余儀なく家庭介護を必要とする傾向にあるのは否定できない。トイレに移動するのが困難な状況にある人は自分の意思に係わらずポータブルトイレを使用することになる。室内に持ち込んだポータブルトイレは排泄、排尿の後始末が介護者にとって大変な苦労になっている。又、排泄に伴う臭いは使用中から室内に拡散し介護を受ける本人も精神的、心理的に多大な負担を覚えるものである。【０００３】  ポータブルトイレの欠点である室内に籠もる排泄物臭気の消臭対策の方法として、数々の提案があるが、これら従来の方法でも充分な臭気消臭対策のポータブルトイレとしてその解決策はまだ完成されておらず問題を残している。【０００４】  例えば従来の解決策としては、消臭剤を散布する方法、排泄物の加熱、微生物分解、攪拌方式、発酵分解方式で処理する方法等数々の提案がある。【０００５】
【特許文献】
【特許文献１】特開平１１−２４４１９３          浄化剤供給
【特許文献２】特開平２０００−１６６８１０Ａ    熱触媒
【特許文献３】特開平２００１−２５８７９１      脱臭ユニット
【特許文献４】特開平２０００−２０１８５６      活性炭、オゾン発生器
【０００６】  これら従来の方法と本発明とは基本的に考え方が異なるもので、従来の方式はすべてポータブルトイレ内に具備するバケツ形の排泄物貯留ポットに蓋をして排泄物の臭気を外部へ洩れないように密閉状態で処理しようする考え方によるものだが、本発明では排泄物貯留ポット内に籠もる臭気を外気に放出し、さらに消臭殺菌処理能力を促進して室内の空気全体を清浄化する目的を可能とした逆の考え方を提案したものである。【０００７】  特開２００４−２６７７０６に本発明の出願人による発明があり、当然本発明と考え方は同じであるが、特開２００４−２６７７０６では利便性にやや問題があり、本発明はそれらの欠点を解決してさらなる完璧性を求め完成させたものである。
【発明の開示】
【発明が解決しようとする課題】
【０００８】  本発明では排泄物の悪臭を消臭殺菌するに止まらず、部屋に籠もりっきりでいるとどうしても気になる老人特有の加齢臭も消臭殺菌してお部屋全体を快適な環境にする。【０００９】  又、排泄物貯留ポットに籠もる排泄物の臭気を消臭殺菌するための効率的手段としてポータブルトイレ内の空気の流れを自然又は強制循環して外部へ放出することで排泄物貯留ポット内の消臭殺菌能力を促進しながら室内に拡散する臭気までも循環消臭し結果的に室内全体を消臭殺菌しようとするのを可能とした消臭殺菌ポータブルトイレを提供しようとするものである。
【課題を解決するための手段】
【００１０】  本発明の消臭殺菌ポータブルトイレは、ポータブルトイレ本体の内壁面に消臭殺菌装置を装備し、排泄物貯留ポット内の臭気を消臭殺菌するとともに脱臭作用効果を促進し外気へ放出させることで室内全体の空気を清浄化する構造とする。【００１１】  消臭殺菌装置の消臭殺菌機能を促進させて効率化を図るために排泄物貯留ポットに通気孔を設けるのを特徴とする構造とする。【００１２】  排泄物貯留ポットに設ける通気孔を左右側面の二箇所と内壁面後方に位置する消臭殺菌装置の装着位置に隣接して一箇所の計三箇所を適当として設け、該、通気孔を持ち手としても使える構造とする。【００１３】  消臭殺菌ポータブルトイレは、ポータブルトイレ本体の内壁面に装着する消臭殺菌装置を着脱自在とした構造とする。【００１４】  ポータブルトイレ本体の内壁面に装着した消臭殺菌装置で発生するオゾン・紫外線は通気孔より進入し排泄物貯留ポット内の臭気を消臭殺菌する構造とする。【００１５】  排泄物貯留ポット内で消臭殺菌された空気をポータブルトイレ本体より外部へ自然放出又は強制循環させることで室内全体の空気を清浄化できる構造とする。【００１６】  消臭殺菌ポータブルトイレの消臭殺菌装置は、消臭殺菌方法をオゾン発生による分解消臭と紫外線照射による消臭殺菌を可能とし、自然放出又はファンによる強制循環機能を備える構造となっている。
【発明の効果】
【００１７】  オゾン・紫外線は強力な酸化力を持ち、細菌やウィルス、カビの細胞膜を短時間で破壊・分解するため室内全体の空気を浄化し、室内にいやな臭いが籠もることもなく外部から訪問者があっても不快感を与えることもない。消臭殺菌された排泄物は臭いも気にならず後始末が楽で、衛生面でも殺菌処理後は安全性も高く、介護を受ける本人にしても心理的、精神的にも心の負担を軽減する。又、特開２００４−２６７７０６では通気孔の数は１６個前後から成る集合配列群を３箇所設けるのを適当としているが、本発明では手の指先が入る程度の大きさとしたため通気孔の中空部分は持ち手としても使え、持ち易くて持ち運びが楽になった。また１６個前後から成る集合配列群の通気孔では排泄物が目詰まりする状態もあったが、その目詰まりもなくなり洗いやすく清潔になった。そして市販の可搬性のポータブルトイレを改良して製作することも可能で、コスト面でも有利である。
【発明を実施するための最良の形態】
【００１８】  以下本発明を実施するための最良の形態を実施例にもとづき図面に従い以下説明する。
【実施例１】
【００１９】  図１は本発明の実施例１とする消臭殺菌ポータブルトイレ１１の構造を示す要部側断面図である。【００２０】  図２は本発明のバケツ形状の排泄物貯留ポット１３に通気孔１４を設けた構造を示す斜視図である。【００２１】  本実施例１の消臭殺菌ポータブルトイレ１１は簡易型の可搬性ポータブルとトイレで、ポータブルトイレ本体１２と排泄物を貯留するためのバケツ形状の排泄物貯留ポット１３に通気孔１４を設け、該排泄物貯留ポット１３との組み合わせで構成する消臭殺菌ポータブルトイレ１１である。【００２２】  従来のポータブルトイレ本体１２には開閉自在に便座１５と便座蓋１６が設けられ、排便後は便座蓋１６で蓋をして排泄物の臭気が直接外部へ拡散しないようにして処置する構造となっている。【００２３】  そこで本発明では、ポータブルトイレ本体１２の内壁面に消臭殺菌装置１７を装着し、消臭殺菌装置１７で発生するオゾン・紫外線は通気孔１４より進入し排泄物貯留ポット１３内の臭気を消臭殺菌する構造として脱臭作用効果を促進し消臭殺菌された空気をポータブルトイレ本体１２の外部へ自然放出させることで室内全体の空気を清浄化するのを特徴とした請求項１に記載の消臭殺菌ポータブルトイレである。【００２４】  消臭殺菌装置１７はオゾンと紫外線を同時発生するランプを採用するものとして、強力な酸化力で排泄物貯留ポット１４内の細菌やウィルス、カビの細胞膜を短時間で破壊、分解し、根強い悪臭成分を元から強力に酸化分解して消臭殺菌するものである。【００２５】  上述する消臭殺菌装置１７の機能等についてはすでによく知られているので詳細は省略する。【００２６】  尚、消臭殺菌装置１７は本発明の実施例１で示す、オゾンと紫外線を同時発生するランプだけに限らず、消臭殺菌能力と使用環境に応じて効果的素材を採用する消臭殺菌装置１７とするものである。【００２７】  本発明の実施例１の消臭殺菌装置１７の装着方法は、マグネットで着脱自在として装着するものである。但しその装着方法はこの他にもネジ止め・ボルト締めなどいろいろ想定されその装着方法を特定するものではない請求項２に記載の消臭殺菌ポータブルトイレである。【００２８】  本発明ではバケツ形状の排泄物貯留ポット１３に通気孔１４を設け、消臭殺菌装置１７で発生するオゾン・紫外線が通気孔１４を通り抜け排泄物貯留ポット１３内への進入を容易にして消臭殺菌作用を効率的に促進させる構造としたものである。【００２９】  即ち、排泄物貯留ポット１３内の臭気を消臭殺菌するために排泄物貯留ポット１３に通気孔１４を設けるのを特徴とした請求項４に記載の消臭殺菌ポータブルトイレ１１である。【００３０】  排泄物貯留ポット１３に設ける通気孔１４は左右側面の二箇所と内壁面に位置する消臭殺菌装置の装着位置に隣接して一箇所の計三箇所を適当として設け、通気孔の中空寸法径は縦３０ミリ横７０〜８０ミリの指先が差し込める程度を最適とし、持ち手としても使えるのを特徴とした請求項５に記載の消臭殺菌ポータブルトイレ１１である。【００３１】  即ち、通気孔１４の中空部分は持ち手としても使える大きさの寸法であるため排出物が目詰まりすることがない。
【実施例２】
【００３２】  図３は本発明の実施例２とする消臭殺菌ポータブルトイレ２１の構造を示す要部側断面図である。【００３３】  又、図３は本発明の実施例２とする消臭殺菌ポータブルトイレ本体２２とそれに具備する排泄物貯留ポット１３の設置状況を示したものである。【００３４】  図４は消臭殺菌ポータブルトイレ本体２２の消臭殺菌装置２７の収納部分を示す背面斜視図である。【００３５】    本発明の実施例１の場合は消臭殺菌された空気をポータブルトイレ本体１２の外部へ自然放出させるのを特徴としているが、本発明の実施例２では消臭殺菌ポータブルトイレ本体２２に具備する排泄物貯留ポット１３内で消臭殺菌された空気をポータブルトイレ本体２２の外部へ強制循環放出させることで室内全体の空気を清浄化するのを特徴とした消臭殺菌ポータブルトイレである。【００３６】  実施例２での消臭殺菌装置２７は、強制循環ファン２８を内蔵し、オゾン発生ランプと紫外線ランプの出力を変えることでオゾンと紫外線を同時に発生させてふたつの効果で消臭殺菌機能を持つ消臭殺菌装置２７である。【００３７】  オゾン・紫外線はダクト３０で排泄物貯留ポット１３内に誘導され、強制循環させることで消臭殺菌能力を促進し室内全体の空気を清浄化するものである。【００３８】  消臭殺菌装置２７に装備するオゾン発生ランプと紫外線ランプの機能等についてはすでによく知られているので詳細は省略する。【００３９】  図５は消臭殺菌ポータブルトイレ２１の空気の流れを示す正面要部断面図であり、図面矢印は空気の流れを示す。
図６は消臭殺菌ポータブルトイレ２１の空気の流れを示す部分斜視図であり、図面矢印は空気の流れを示す。【００４０】  即ち、空気の流れは吸入口２９より外気を取り入れ消臭殺菌装置２７で消臭殺菌能力を充分に持ちつつダクト３０で排泄物貯留ポット１３内に誘導され、排泄物の悪臭等を除菌、脱臭して通気孔１４を通り便座２５、便座蓋２６等の隙間から外部へ強制的に放出される。【００４１】  このように、強制循環を繰り返しながら消臭殺菌装置２７を室内の空気が通り抜けることで消臭殺菌能力を促進し室内全体の空気を清浄化するのである。【００４２】  又、本発明の消臭殺菌ポータブルトイレにセンサー３２を装備し自動でスイッチのＯＮ、ＯＦＦを可能とすることで利便性を高める、【００４３】  尚、ＯＮの場合はスイッチが瞬時に入り、ＯＦＦでは使用後時間差をおいてスイッチが切れる方法とする。この時間差の調整を可能とすることでお部屋の大きさに合わせてお部屋全体の空気の浄化能力を調整できる。
【産業上の利用可能性】
【００４４】  本発明に係わる消臭殺菌ポータブルトイレのポータブルトイレ本体は工業的に量産することも可能であり、現在市販されているポータブルトイレを改良量産して本発明の消臭殺菌ポータブルトイレとすることも可能であり、産業上の利用可能性を有する。
【図面の簡単な説明】
【００４５】
【図１】消臭殺菌ポータブルトイレ１１の構造を示す要部側断面図。
【図２】排泄物貯留ポット１３に通気孔１４を設けた構造を示す斜視図。
【図３】消臭殺菌ポータブルトイレ２１の構造を示す要部側断面図。
【図４】消臭殺菌装置２７の収納部分を示す背面斜視図。
【図５】消臭殺菌ポータブルトイレ２１の空気の流れを示す正面要部断面図。
【図６】消臭殺菌ポータブルトイレ２１の空気の流れを示す部分斜視図。
【符号の説明】
【００４６】１１、２１        消臭殺菌ポータブルトイレ
１２、２２        ポータブルトイレ本体
１３              排泄物貯留ポット
１４              通気孔
１５、２５        便座
１６、２６        便座蓋
１７、２７        消臭殺菌装置
２８              強制循環ファン
２９              吸入口
３０              ダクト
３１              ダクト排出口
３２              センサー
【図１】
2009072554.tif 000003
【図２】
2009072554.tif 000004
【図３】
2009072554.tif 000005
【図４】
2009072554.tif 000006
【図５】
2009072554.tif 000007
【図６】
2009072554.tif 000008